(57)【要約】綴じた媒体本体（１０４、６０２）を作成するシステムおよび方法は、折り畳まれた縁部上に切り込み（３０４）を有する、個々に折り畳まれた媒体シート（４０２、５０４）を利用する。折り畳まれた媒体シートは、媒体シート（１０２、３０２）の所定のラインに沿って切り込みを入れ、次に、媒体シートを切り込みに沿って折り畳むことによって形成される。綴じた媒体本体を形成するために、折り畳まれた媒体シートは、粘着性材料が媒体シートの折り畳まれた縁部上に塗布されることによって綴じられる。
2005536379.tif 000002
【特許請求の範囲】
【請求項１】
綴じた媒体本体（１０４、６０２）を作成する方法であって、
処理される媒体シート（１０２、３０２）を供給することと（７０２）、
所定のラインに沿って前記媒体シートに切り込み（３０４）を入れることと（７０４）、
前記切り込みが、前記媒体シートの折り畳まれた縁部上に位置するように、前記切り込みに沿って前記媒体シートのそれぞれを個々に折り畳むこと（７０６）と、
粘着性材料を前記媒体シートの前記折り畳まれた縁部に塗布すること（７０８）であって、それによって、前記媒体シートを綴じて、前記綴じた媒体本体を形成する、塗布することと、
を含むことを特徴とする、綴じた媒体本体を作成する方法。
【請求項２】
前記切り込み（３０４）を前記入れること（７０４）は、前記所定のラインに沿って前記媒体シート（１０２、３０２）にほぼ直線状の切り込みを入れることを含むことを特徴とする請求項１に記載の綴じた媒体本体を作成する方法。
【請求項３】
前記ほぼ直線状の切り込み（３０４）は、前記所定のラインに沿う方向に向いていることを特徴とする請求項２に記載の綴じた媒体本体を作成する方法。
【請求項４】
前記切り込み（３０４）を前記入れること（７０４）は、前記切り込みのある縁部上で媒体の繊維を露出させることを含むことを特徴とする請求項１から３のいずれか１項に記載の綴じた媒体本体を作成する方法。
【請求項５】
前記媒体シート（１０２、３０２）をそれぞれ折り畳んだ後に、前記媒体シートを並べて積み重ねること（２１０）
をさらに含むことを特徴とする請求項１から４のいずれか１項に記載の綴じた媒体本体を作成する方法。
【請求項６】
綴じた媒体本体（１０４、６０２）を作成するシステムであって、
所定のラインに沿って媒体シート（１０２、３０２）に切り込み（３０４）を入れるように構成された切り込みユニット（１０８）と、
前記切り込みが、前記媒体シートの折り畳まれた縁部上に位置するように前記媒体シートのそれぞれを前記切り込みに沿って個々に折り畳むように構成された折り畳みユニット（１１０）と、
前記媒体シートの前記折り畳まれた縁部に粘着性材料を塗布して、前記綴じた媒体本体を形成するように構成された塗布ユニット（１１４）と、
を備えることを特徴とする、綴じた媒体本体を作成するシステム。
【請求項７】
前記切り込みユニット（１０８）は、前記所定のラインに沿って前記媒体シート（１０２、３０２）にほぼ直線状の切り込み（３０４）を入れるように構成されることを特徴とする請求項６に記載の綴じた媒体本体を作成するシステム。
【請求項８】
前記ほぼ直線状の切り込み（３０４）は、前記所定のラインに沿う方向に向いていることを特徴とする請求項７に記載の綴じた媒体本体を作成するシステム。
【請求項９】
前記切り込みユニット（１０８）は、前記媒体シート（１０２、３０２）に前記切り込み（３０４）を入れるのに用いる少なくとも１つのブレードを含み、前記ブレードは、前記切り込みが入れられると、前記切り込みの縁部において媒体の繊維が露出するように構成されることを特徴とする請求項６から８のいずれか１項に記載の綴じた媒体本体を作成するシステム。
【請求項１０】
前記媒体シート（１０２、３０２）をそれぞれ折り畳んだ後に、前記媒体シートを並べて積み重ねるように構成される積み重ねユニット（１１２）
をさらに備えることを特徴とする請求項６ないし９のいずれか１項に記載の綴じた媒体本体を作成するシステム。
【発明の詳細な説明】
【技術分野】
【０００１】
本発明は包括的には、綴じる（製本の）技法に関し、より詳細には、綴じた媒体本体を作成するシステムおよび方法に関する。
【背景技術】
【０００２】
テキスト、文庫本、小冊子、パンフレット、カタログ、およびマニュアルなどの綴じた媒体本体（媒体を綴じたもの）を作成するために、紙シートを綴じる種々の技法が存在する。一般的な綴じる技法は、針金綴じ、糸綴じ、および無線綴じ技法を含む。針金綴じ技法において、折丁（互いの上部に積み重ねた２枚以上の折り畳んだ紙シート）は、ワイヤステープルによって、二つ折りした部分を貫通して（中綴じ）か、または、二つ折りした部分に近い側面を貫通して（平綴じ）固定される。針金綴じ技法は一般に、雑誌および小冊子を綴じるのに用いられる。針金綴じ技法と同様に、糸綴じ技法では、折丁が糸で固定され、その糸は、二つ折りした部分を通して（中綴じ）か、または、二つ折りした部分に近い側面を通して（平綴じ）縫われる。糸綴じ技法は一般に、良質のハードバック本を綴じるのに用いられる。無線綴じ技法において、折丁または個々の紙シートは、綴じた媒体本体の背を形成する縁部に沿って柔軟粘着性材料に接着される。無線綴じ技法は一般に、文庫本、小冊子、および参考資料を綴じるのに用いられる。
【０００３】
色々な綴じ技法の中で、無線綴じ技法は、低コストで、処理時間が速く、かつ仕上がった製品が良質であるために、最も広く用いられる。無線綴じ技法は、柔軟粘着性材料に接着される折丁または個々の紙シートの綴じ用縁部を調製する方法によって変わる。無線綴じ技法を用いて作成した、綴じた媒体本体の綴じ強度は、折丁または個々の紙シートの柔軟粘着性材料に対する接着力によって決まるため、結果として得られる、綴じた媒体本体のページが、柔軟粘着性材料に確実にしっかりと固定されるようにするための縁部調製方法は、無線綴じ技法の重要な部分である。折丁または個々の紙シートの綴じ用縁部を調製する種々の方法が存在する。１つの縁部調製方法は、歯を持つ大きな輪を用いて、積み重ねた紙シートの綴じ用縁部上にスリットを作ることを必要とする。別の縁部調製方法は、結果として得られる個々の紙シート上にざらざらのエッジを作成するために、グラインダーを用いて、積み重ねた折丁の折り畳んだ縁部を研削することを必要とする。
【０００４】
スリット作成方法および研削方法に関する問題は、積み重ねた紙シートの綴じ用縁部上にスリットを作るか、または、積み重ねた折丁の折り畳んだ縁部を研削するために、危険で重い機械装置が必要とされることである。スリット作成方法の場合、別の問題は、スリットの深さを制御するのが難しいことである。研削方法の場合、別の問題は、かなりの量の紙粉が生じ、機械装置の適切な動作を妨げる可能性があることである。さらに、研削方法の場合、紙シートは、その後、（研削済み面を除いて）３面で仕上げ裁ちされなければならず、紙くずが生じ、廃棄するための取り扱いおよび収集が難しい。
【０００５】
他の縁部調製方法はノッチおよびバースト綴じ方法を含む。ノッチ綴じ方法においては、折丁の小さいセクションを除去することによって、折丁の折り畳んだ縁部上にノッチが作られて、ノッチによって形成された穴を通して折丁の個々の折り畳んだシートに粘着性材料が浸透することが可能になり、これらのシートが粘着性材料に固定される。同様に、バースト綴じ方法においては、折丁の折り畳んだ縁部上に大きな切り込みが入れられて、切り込みを通して折丁の個々の折り畳んだシートに粘着性材料が浸透することが可能になる。
【０００６】
ノッチおよびバースト綴じ方法に関する問題は、紙シートを折り畳んで、折丁を形成し、その後、折丁にノッチまたは切り込みを作るのに重い機械装置が必要とされることである。別の問題は、折丁の内部シートは、ノッチまたは切り込みでのみ綴じられることである。そのため、これらの折丁の内側にあるシートは、折丁の外側にあるシートほどにはしっかりと固定されない。さらなる別の問題は、研削方法と同様に、その後の仕上げ裁ちが（ノッチまたは切り込みを持つ面を除く）３面で必要とされ、紙くずを生ずることである。ノッチ綴じ方法の場合、さらなる別の問題は、ノッチを作る時に、追加の紙くずを生ずることである。
【０００７】
これらの問題から考えて、必要とされているものは、大量の紙くずおよび紙粉を生成することなく、綴じ強度を増した、綴じた媒体本体を作成するシステムおよび方法である。
【発明の開示】
【０００８】
綴じた媒体本体を作成するシステムおよび方法は、折り畳まれた縁部上に切り込みを有する、個々に折り畳まれた媒体シートを利用する。折り畳まれた縁部上に切り込みを有する、折り畳まれた媒体シートの使用は、粘着性材料が折り畳まれた媒体シートに浸透することを可能にすることによって、結果として得られる綴じた媒体本体の綴じ強度を増加させる。さらに、折り畳まれた媒体シートの折り畳まれた縁部上で、切り込みによって露出される媒体の繊維が、粘着性材料と折り畳まれた媒体シートとの接着度を強め、同様に、結果として得られる、綴じた媒体本体の綴じ強度を増加させる。その結果、システムおよび方法は、コーティングされた媒体が、無線綴じ技法を用いて効率的に綴じられることを可能にする。
【０００９】
本発明によるシステムは、切り込みユニット、折り畳みユニット、および塗布ユニットを含む。切り込みユニットは、媒体シートの中心線などの所定のラインに沿って媒体シートに切り込みを入れるように構成される。折り畳みユニットは、切り込みに沿って媒体シートのそれぞれを折り畳み、切り込みが、媒体シートの折り畳まれた縁部上に位置するように構成される。塗布ユニットは、粘着性材料を媒体シートの折り畳んだ縁部に塗布して綴じた媒体本体を形成するように構成される。
【００１０】
本発明による方法は、処理される媒体シートを供給すること、所定のライン（たとえば、中心線）に沿って媒体シートに切り込みを入れること、切り込みに沿って媒体シートのそれぞれを折り畳み、切り込みが媒体シートの折り畳まれた縁部上に位置するようにすること、および、粘着性材料を媒体シートの折り畳んだ縁部に塗布することであって、それによって、媒体シートを綴じて、綴じた媒体本体を形成する、塗布することを含む。
【００１１】
一実施形態において、方法は、折り畳まれた媒体シートの折り畳まれた縁部のそれぞれが露出するように、折り畳まれた媒体シートを並べて積み重ねることをさらに含む。
【００１２】
本発明の他の態様および利点は、添付図面とともに、本発明の原理の例によって示される以下の詳細な説明から明らかになるであろう。
【発明を実施するための最良の形態】
【００１３】
図１を参照すると、本発明による媒体綴じシステム１００が示される。媒体綴じシステムは、無線綴じ技法を用いて、印刷済み紙シートまたはこれに相当する他の材料であってよい、印刷済み媒体１０２を綴じ、文庫本、小冊子、または参考資料などの綴じた媒体本体１０４を作成するように動作する。媒体綴じシステムによって使用される無線綴じ技法は、従来の無線綴じ技法と比較して、綴じ強度が増加した、綴じた媒体本体を作成する。さらに、媒体綴じシステムによって使用される無線綴じ技法によって、システムが、従来の無線綴じ技法と比べて、生ずる紙くずおよび紙粉をかなり少なくすることが可能になる。さらに、媒体綴じシステムによって使用される無線綴じ技法は、システムのスループットを増加させる。
【００１４】
媒体綴じシステム１００によって使用される無線綴じ技法は、図２〜図６を参照して述べられる。図２は、無線綴じ技法のプロセスフロー図である。図３〜図６は、無線綴じ技法による綴じた媒体本体６０２を作成するために処理される例示的な印刷済み媒体シート３０２の図である。印刷済み媒体シートは、コート紙などの印刷済み紙シートである場合がある。しかしながら、印刷済み媒体シートは、これに相当する他の材料でできたシートである場合がある。図２を参照すると、印刷済み媒体シート、たとえば、印刷済み媒体シート３０２は、ステップ２０２にて、処理されるために受け取られる。以下で述べるように、印刷済み媒体シートは折り畳んだ単一の媒体シートに形成される。そのため、印刷済み媒体シートのサイズは、結果として得られる、綴じた媒体本体の所望のページサイズの少なくとも２倍である。例として、印刷済み媒体のサイズは、１２×９インチ（１２’’×９’’）である場合がある。次に、オプションのステップ２０４において、印刷済み媒体シートの中心線を確定するために、印刷済み媒体シートの長さが測定される。印刷済み媒体シートを測定することにより、印刷済み媒体シートごとの長さのわずかな変動を考慮して、中心線をより正確に確定することを確実にする。中心線を正確に確定することによって、個々に折り畳まれた媒体シートはほぼ等しいサイズとなる。その結果、同じサイズのページを持つ綴じた媒体本体を作成するために、これらの個々に折り畳んだ媒体シートのサイズは、その後、仕上げ裁ちされる必要がない。
【００１５】
次に、ステップ２０６にて、印刷済み媒体シート３０２に作られたミシン目３０４を示す図３に示すように、中心線に沿って印刷済み媒体シートに短い切り込みの形態のミシン目が作られる。例示的な実施形態において、短い切り込みは、中心線に沿う方向に作られたほぼまっすぐの切り込みである。これらのミシン目は、印刷済み媒体シートの如何なる部分も取り除くことなく作られる。その結果、この処理ステップの結果として、実質的に紙くずが全く生じない。さらに、この処理ステップ中では、最少量の紙粉のみが生成されるだけである。印刷済み媒体シートに作られたミシン目は、１〜２ｍｍの距離だけ離れて、長さが約０．５〜４ｍｍである場合がある。例として、ミシン目は、１．５ｍｍの距離だけ離れていて、長さが３ｍｍであってもよい。図３に示す印刷済み媒体シート３０２は、４個のミシン目３０４のみを有するように示されているが、無線綴じ技法に従って処理される印刷済み媒体シートは、これより少ない、あるいは、多いミシン目を含んでもよい。印刷済み媒体シートを貫通させて１つまたは複数のブレード（図示せず）を挿入することによって、ミシン目を作ることができる。一実施形態において、ミシン目は、ミシン目の縁部が粗く、媒体の露出した繊維でいっぱいになるように作られる。例として、鈍い、かつ／または、鋸歯状のブレードを用いてミシン目を形成することで、ミシン目の縁部上で所望の結果を得ることができる。鈍い、かつ／または、鋸歯状のブレードを使用することにより、ミシン目の縁部上で露出される媒体の繊維、たとえば、紙の繊維の数が増加する。以下でより詳細に述べるように、媒体の露出した繊維は、結果として得られる綴じた媒体本体の綴じ強度を増すのに役立つ。ミシン目の縁部上で媒体の繊維を露出させる他の技法もまた用いることができる。たとえば、ミシン目を作るために、ブレードが印刷済み媒体シートを貫通する時にブレードを受け取るスロットのサイズは、ミシン目の縁部上における媒体の繊維を露出させるように大きくしてもよい。
【００１６】
次に、ステップ２０８にて、印刷済み媒体シート３０２から形成された、折り畳まれた単一の媒体シート４０２を示す図４に示すように、印刷済み媒体シートはミシン目、すなわち、中心線に沿って折り畳まれ、折り畳まれた単一の媒体シートが形成される。その結果、印刷済みの媒体シートが折り畳まれ、ミシン目の縁部は、折り畳まれた媒体シートの縁部の一部となる。そのため、ミシン目の縁部上で露出した媒体の繊維は、ここで、折り畳まれた媒体シートの折り畳まれた縁部上にある。露出した紙の繊維が、折り畳まれた媒体シートの外側に確実にあるようにするために、印刷済み媒体シートの、ミシン目が切り込まれた側の表面が、折り畳まれた媒体シートの内面となるように印刷済み媒体シートを折り畳むことができる。印刷済み媒体シート３０２の例において、図３に示すように、ミシン目３０４が上面３０６から作られた場合、図４に示すように、印刷済み媒体シートは、上面が折り畳んだ媒体シート４０２の内面になり、印刷済み媒体シートの底面３０８が折り畳んだ媒体シートの外面になるように折り畳まれる。
【００１７】
次に、ステップ２１０にて、折り畳まれた媒体シート４０２および他の折り畳まれた媒体シート５０４が、折り畳まれた媒体シートの積層体５０２に形成されるのを示す図５に示すように、現在の折り畳まれた媒体シートは、以前に処理された印刷済み媒体シートの積層体がもしあれば、その上部に積み重ねられる。そのため、折り畳まれた媒体シートは、折り畳まれた媒体シートの折り畳まれた縁部がそれぞれ露出するように、並べて積み重ねられる。すなわち、折り畳まれた媒体シートは、別の折り畳まれた媒体シート内には挿入されない。折り畳まれた媒体シートの積層体の折り畳まれた縁部は、綴じ用表面を形成し、結果として得られる、綴じた媒体本体の背になるであろう。
【００１８】
次に、ステップ２１２にて、現在の印刷済み媒体シートが、処理されるべき最後の印刷済み媒体シートであるかどうかの判断が行われる。現在の印刷済み媒体シートが、処理されるべき最後の印刷済み媒体シートでない場合、プロセスは、ステップ２０２に戻って、処理されるべき次の印刷済み媒体シートが受け取られる。その後、この印刷済み媒体シートについて、ステップ２０４〜２１２が繰り返される。しかしながら、現在の印刷済み媒体シートが、処理されるべき最後の印刷済み媒体シートである場合、プロセスは、ステップ２１４に進み、折り畳まれた媒体シートを全て綴じるために、溶融した粘着性材料が、折り畳まれた媒体シートの積層体の綴じ用表面上に塗布される。溶融した粘着性材料は、柔軟な粘着性材料であり、粘着性材料の溶融温度より高い温度に加熱される。文庫本を綴じるのに一般に用いられる従来のホットメルトプラスチック材料を含む、種々のタイプの粘着性材料を用いて、折り畳まれた媒体シートを綴じることができる。従来の一部の無線綴じ技法の場合と同様に、折り畳まれた媒体シートの積層体の綴じ用表面が、粘着性材料を塗布する前に、研削されないか、または、切り取られないため、結果として得られる、綴じた媒体本体の隣接ページは、それぞれの折り畳まれた媒体シートの折り目で一体に接続される。
【００１９】
次に、ステップ２１６にて、折り畳まれ、綴じられた媒体シートにカバーが装着されて、カバー６０４を持つ、綴じられた媒体本体６０２として図６に示されるように、綴じた媒体本体が作成される。カバーは、綴じた媒体本体の背が、浮いた状態、密着した状態のいずれかの状態で、折り畳まれ、綴じられた媒体シートに装着される。カバーは、ハードカバーかまたはソフトカバーであってよい。
【００２０】
本発明に従って、無線綴じ技法を用いて綴じた媒体本体を作成することには多くの利点が存在する。第１に、折り畳んだ媒体シートの積層体の綴じ用表面上にあるミシン目にて露出した媒体の繊維が、折り畳まれた媒体シートと粘着性材料との接着強度を高めるのに役立つ。その結果、結果として得られる綴じた媒体本体の綴じ強度が増加する。第２に、綴じ用表面上の折り畳まれた媒体シートのミシン目は、個々の折り畳まれた媒体シートに粘着性材料が浸透することを可能にし、同様に、折り畳まれた媒体シートと粘着性材料との接着強度を増加させる。さらに、折り畳まれた媒体シートのミシン目は、折り畳まれた媒体シートの積層体の綴じ用表面積を増加させ、同様に、結果として得られる綴じた媒体本体の綴じ強度を増加させる。第３に、折り畳まれた媒体シートの積層体の綴じ用表面に粘着性材料が塗布されると、折り畳まれた媒体シートはくっついた状態になるため、綴じた媒体本体中の隣接しあう２枚のページは、折り畳んだ媒体シートそれぞれの折り目で一緒にくっつけられる。そのため、折り畳んだ媒体シートが粘着性材料にくっつく限りにおいて、個々のページは、綴じた媒体本体からはずれないであろう。
【００２１】
綴じた媒体本体を作成する際に、一枚一枚のページではなく、折り畳んだ媒体シートを使用することは、さらなる利点を提供する。それぞれの折り畳んだ媒体シートは、綴じた媒体本体中で２枚の単葉を構成するようになるので、綴じた媒体本体に含まれる予定の単葉の全てを印刷する際に印刷する必要がある媒体シートは少数で済む。したがって、綴じた媒体本体のページは、各ページがそれぞれの媒体シート上に印刷される場合よりずっと速く印刷することができる。さらに、より大きな媒体シートは、プリンタでハンドリングし易く、折り畳まれた複数のシートからなる媒体を形成するのに用いられる媒体シートは、一枚一枚のページからなるものを形成するのに用いられる媒体シートより大きいため、折り畳まれた複数のシートからなる媒体を形成するのに用いられる媒体シートは、プリンタがハンドリングし易い。さらに、折り畳んだ媒体シートは通常、一枚一枚の媒体シートより剛性があるため、折り畳んだ媒体シートは、一枚一枚の媒体シートに比べて、機械によってハンドリングし、綴じるのが容易である。
【００２２】
図１に戻ると、本発明による媒体綴じシステム１００の構成部品がここで述べられる。媒体綴じシステムは、オプションのシート測定ユニット１０６、切り込みユニット１０８、シート折り畳みユニット１１０、積み重ねユニット１１２、接着剤塗布ユニット１１４、およびカバー装着ユニット１１６を含む。これらの構成部品は、綴じた媒体本体を作成するために、先に述べた無線綴じ技法の種々のステップを行う。
【００２３】
オプションのシート測定ユニット１０６は、印刷済み媒体シートの中心線をより正確に確定するために、印刷済み媒体シート、たとえば、個々の折り畳まれた媒体シートとして形成される紙シートの長さを測定するように動作する。そのため、シート測定ユニットは、処理される印刷済み媒体シートの長さのわずかな変動を検出する。例として、シート測定ユニットは、長さを測定するために、印刷済み媒体シートの長さを画定する縁部を検出する光センサを用いてもよい。一実施形態において、シート測定ユニットは、媒体シート上にテキスト、ピクチャ、グラフィック、画像、および／または、他のパターンを印刷するプリンタ（図示せず）から直接、印刷済み媒体シートを受け取ってもよい。この実施形態において、媒体綴じシステム１００はプリンタを含んでもよい。別の実施形態において、処理されるべき印刷済み媒体シートは、媒体綴じシステムに手で導入されてもよい。この実施形態において、媒体綴じシステムはプリンタを含んでも、含まなくてもよい。
【００２４】
切り込みユニット１０８は、短い切り込みの形態で、印刷済み媒体シートの中心線に沿ってミシン目を作成するように動作する。例示的な実施形態において、短い切り込みは、中心線の方向に沿って形成されたほぼまっすぐの切り込みである。切り込みユニットは、ミシン目を作るために、１つまたは複数のブレードを利用してもよい。一実施形態において、切り込みユニットのブレードは、ミシン目の縁部が粗くて、露出した媒体の繊維でいっぱいになるように、鈍く、かつ／または、鋸歯状である。他の実施形態において、切り込みユニットは、ミシン目の縁部上に媒体の繊維を露出させる他の技法を用いてもよい。たとえば、切り込みユニットは、ミシン目の縁部上における媒体の繊維が露出するようなミシン目を作るために、ブレードが印刷済み媒体シートを貫通する時にブレードを受け取る１つまたは複数の拡大したスロットを含んでもよい。印刷済み媒体シートに作られたミシン目は、１〜２ｍｍの距離だけ離れて、長さが約０．５〜４ｍｍのものとし得る。例として、ミシン目は、１．５ｍｍの距離だけ離れて、長さが３ｍｍのものとし得る。
【００２５】
シート折り畳みユニット１１０は、個々の折り畳んだ媒体シートを形成するために、印刷済み媒体シートのそれぞれを、ミシン目、すなわち、中心線に沿って個々に折り畳むように動作する。一実施形態において、シート折り畳みユニットは、印刷済み媒体シートの、ミシン目が切り込まれた側の表面が、折り畳まれた媒体シートの内面となるように印刷済み媒体シートのそれぞれを折り畳む。そのため、ミシン目で露出した紙の繊維が、折り畳んだ媒体シートの外側になる。
【００２６】
積み重ねユニット１１２は、接着剤塗布ユニット１１４が、折り畳んだ媒体シートの積層体の綴じ用表面上に溶融した粘着性材料を塗布することができるように、折り畳まれた媒体シートを積み重ねるように動作する。例示的な実施形態において、折り畳まれた媒体シートの折り畳まれた縁部のそれぞれが露出するように、折り畳まれた媒体シートが並べて積み重ねられる。そのため、折り畳まれた媒体シートの積層体の綴じ用表面上に粘着性材料が塗布されると、粘着性材料は、それぞれの折り畳まれた媒体シートに直接塗布される。
【００２７】
カバー付着ユニット１１６は、綴じた、折り畳んだ媒体シートにカバーを装着するように動作する。カバーは、綴じた媒体本体の背が、浮いた状態か、密着した状態かのいずれかの状態で、折り畳まれ、綴じられた媒体シートに装着される。カバーは、ハードカバーかまたはソフトカバーであってよい。
【００２８】
本発明による綴じた媒体本体を作成する方法が、図７を参照して述べられる。ステップ７０２にて、処理されるべき印刷済み媒体シートが供給される。印刷済み媒体シートは、コート紙のシートなどの紙シートであってよい。次に、ステップ７０４にて、中心線に沿って媒体シートのそれぞれに、短い切り込みの形態でミシン目が作られる。例示的な実施形態において、短い切り込みは、中心線に沿う方向に作られたほぼ直線状の切り込みである。ステップ７０６にて、ミシン目が媒体シートの折り畳んだ縁部上に位置するように、ミシン目に沿って前記媒体シートのそれぞれが個々に折り畳まれる。次に、ステップ７０８にて、綴じた媒体本体を形成するために、粘着性材料が、印刷済み媒体シートの折り畳まれた縁部上に塗布される。次に、カバーが、綴じた媒体シートに装着されて、最終製品を作成することができる。
【００２９】
本発明の特定の実施形態を述べて示したが、本発明は、これまでに述べて示した部品の特定の形態または構成に限定されるべきではない。本発明の範囲は、添付の特許請求の範囲およびその等価物によって規定されるべきである。
【図面の簡単な説明】
【００３０】
【図１】本発明による媒体綴じシステムの図である。
【図２】媒体綴じシステムによって使用される無線綴じ技法のフロー図である。
【図３】無線綴じ技法による、印刷済み媒体シートに作られる切り込みの形態のミシン目を示す図である。
【図４】無線綴じ技法による、印刷済み媒体シートをミシン目に沿って折り畳むことによって形成される、単一の折り畳まれた媒体シートを示す図である。
【図５】無線綴じ技法による、粘着性材料を塗布するために並べて積み重ねられた、ミシン目を有する個々に折り畳まれた媒体シートを示す図である。
【図６】無線綴じ技法によって作成された、綴じた媒体本体を示す図である。
【図７】本発明による綴じた媒体本体を作成する方法のフロー図である。
【図１】
2005536379.tif 000003
【図２】
2005536379.tif 000004
【図３】
2005536379.tif 000005
【図４】
2005536379.tif 000006
【図５】
2005536379.tif 000007
【図６】
2005536379.tif 000008
【図７】
2005536379.tif 000009
【国際調査報告】
2005536379.tif 000010
2005536379.tif 000011
2005536379.tif 000012